(57)【要約】【課題】汚れの少ない印影が得られる蓄インク式印版を提供する。【解決手段】インクを含浸して蓄積するインク保持体１１を備えた印版１において、インク保持体１１は、多孔性樹脂で構成され、インクの浸透しない不透過層１１１によって表面が覆われており、この不透過層１１１の内、インク保持体１１が露出した滲出部１１２が形成され、不透過層１１１と滲出部１１２とによって印面１１３が構成される。このようなインク保持体１１の端部１１６には、滲出防止剤が含浸されて、滲出防止層１１７が形成され、端部１１６からのインクの滲出が抑制される。【選択図】図３
2004167887.tif 000002
【特許請求の範囲】
【請求項１】
多孔性樹脂によって構成されたインク保持体と、
前記インク保持体の表面に設けられた印面と、
インク保持体の端面に滲出防止剤が含浸されている印版。
【請求項２】
印面は、インクの浸透しない不透過層と、前記インク保持部が露出した滲出部とを備えている請求項１に記載の印版。
【請求項３】
前記滲出防止剤は、揮発性溶媒にて溶解された樹脂である請求項１又は２に記載の印版。
【請求項４】
前記滲出防止剤は、弾性を有する樹脂である請求項１又は２に記載の印版。
【請求項５】
前記滲出防止剤は、α−シアノアクリル酸エチルエステルである請求項１又は２に記載の印版。
【請求項６】
前記滲出防止剤は、アクリル系エマルジョン塗料である請求項１又は２に記載の印版。
【請求項７】
請求項１〜６のいずれか１に記載の印版を固定した把持体を有するスタンプ。
【請求項８】
前記把持体の対向する側面には、係合突起と、係合突起が係合する係合凹部が設けられ、複数の把持体の係合突起と係合凹部とを相互に係合させた状態で、各把持体の印面が同一平面内に位置し得る請求項７に記載のスタンプ。
【発明の詳細な説明】
【０００１】
【発明の属する技術分野】
この発明は、印版及びスタンプに係り、詳しくは、インクを含浸した状態で保持し、連続して印判することができる印版及びスタンプに関するものである。
【０００２】
【従来の技術】
従来、予めインクを含浸させることにより長時間インクを補充せず、繰り返し捺印することができる多孔性樹脂で構成された印版がある。図７は、印版９の印面９２を示す部分平面図、図８は印版９の拡大横断面図である。この印版９は、多孔性樹脂層９１にインクを含浸した状態で保持し、印面９２には、インクが浸透しない不透過層９３と、多孔性樹脂が露出した滲出部９４とを備えている。そして、この滲出部９４を文字の形状に構成することによって、印影が文字となる。含浸されたインクは、図７に示されているように、滲出部９４を中心とて周囲に浸透し、含浸部９５を構成している。
【０００３】
一方、例えば会社などの法人の住所、名称、代表者名をそれぞれ一行づつ、複数行に渡ってスタンプとして構成したものがある。このようなスタンプは、必要に応じて、住所のみ、名称のみを使用したい場合があるため、それぞれの印版を、分離して使用することができるスタンプなども提案されている。そのようなスタンプには、以下のような従来技術がある。
【０００４】
【特許文献１】
特開２００２−２８３６８８号公報
【０００５】
【特許文献２】
特開２００２−１７２８３７号公報
【０００６】
【特許文献３】
特開２０００−３０１８１７号公報
【０００７】
【発明が解決しようとする課題】
通常の印版では、印影の形状に形成された印面が他の面よりも突出して構成され、この突出した印面のみが捺印部分に押し付けられる構成となっており、印影は、印面の形状となる。しかし、上記のように印面に不透過層を設けた多孔性樹脂を使用したものでは、不透過層を含めたすべての面、即ち、多孔性樹脂で構成される印版の全表面が、捺印される個所に押し当てられることとなる。
【０００８】
この場合、捺印する際に、印版を押し付ける力の方向が、平面に対して傾いてしまうと、印版に不均一に力が加わり、図８に示されているように、樹脂が変形するといった問題があった。
特に、図７及び図８に示されている様に、含浸部９５が印版９の端部に達している部分９６があり、上記のような変形により、このような部分９６が捺印面９７に接触し、図９に示されているように、印影９７に印版９の輪郭線９８が写し出されてしまうことがあった。
【０００９】
本発明の目的は、捺印時の印版の変形を抑制することで、不要な線が映し出されず、より汚れの抑制された印影を形成することのできる印版及びスタンプを提供することにある。
【００１０】
【課題を解決するための手段】
このような目的は、以下の本発明によって達成される。
（１）  多孔性樹脂によって構成されたインク保持体と、
前記インク保持体の表面に設けられた印面と、
インク保持体の端面に滲出防止剤が含浸されている印版。
【００１１】
（２）  印面は、インクの浸透しない不透過層と、前記インク保持部が露出した滲出部とを備えている上記（１）に記載の印版。
【００１２】
（３）  滲出防止剤は、揮発性溶媒にて溶解された樹脂である上記（１）又は（２）に記載の印版。
【００１３】
（４）  滲出防止剤は、弾性を有する樹脂である上記（１）又は（２）に記載の印版。
【００１４】
（５）  滲出防止剤は、α−シアノアクリル酸エチルエステルである上記（１）又は（２）に記載の印版。
【００１５】
（６）  滲出防止剤は、アクリル系エマルジョン塗料である上記（１）又は（２）に記載の印版。
【００１６】
（７）  上記（１）〜（６）のいずれか１に記載の印版を固定した把持体を有するスタンプ。
【００１７】
（８）  前記把持体の対向する側面には、係合突起と、係合突起が係合する係合凹部が設けられ、複数の把持体の係合突起と係合凹部とを係合させた状態で、各把持体の印面が同一平面内に位置する上記（７）に記載のスタンプ。
【００１８】
【発明の実施の形態】
以下、本発明の好適実施形態について、添付図面に基いて詳細に説明する。図１は、本発明の印版１と、印版１を用いたスタンプ２の分解斜視図である。把持体３は、直方体形状に形成され、一方の端面３１に印版１が貼り付けられている。また、一方の側面３２には、少なくとも２箇所に、係合突起３２１、３２１が形成されており、側面３２に対向する他方の側面３３には、係合突起３２１、３２１に対向する位置に、係合凹部３３１、３３１が形成されている。
【００１９】
印版１は、インク保持体１１と、収容体１２とを備えている。図２は、印版１の一部拡大平面図、図３は、インク保持体１１の横断面拡大図、図４はスタンプの一部拡大横断面図である。インク保持体１１は、多孔性樹脂によって構成されている。多孔性樹脂は、耐インク性を有する連続気泡構造体であれば特に限定されない。具体的には、ポリエチレン、ポリアミド、ポリウレタン、ポリアセタール、ポリスチレン、ポリプロピレン等のポリオレフィン系樹脂、或いはエチレンビニルアルコール等の熱可塑性樹脂を挙げることができる。空隙率は、例えば、４０〜８０％とすることができる。また、連続気泡の気泡径は、例えば５０μｍ以下とされる。さらに、多孔性樹脂の密度は、例えば０．２〜０．６ｇ／ｃｍ３とすることができる。
【００２０】
以上のような多孔性樹脂で構成されたインク保持体１１は、短辺よりも長辺が十分長い長方形に形成されている。インク保持体１１の一方の面は、インクの浸透しない不透過層１１１によって覆われており、この不透過層１１１の一部は、印影の形に抜きとられ、インク保持体１１が露出した滲出部１１２となっている。この不透過層１１１と滲出部１１２とによって印面１１３が構成される。
【００２１】
インク保持体１１の端部１１６には、滲出防止剤が含浸させられている。この滲出防止剤は、インク保持体１１を構成する多孔性樹脂の気泡に対して、端部表面から内部へ浸透し、該気泡に充填された状態で気泡内に滞留することで、インクの滲み出しを防止する滲出防止層１１７を構成する。この滲出防止層１１７は、部分的に設けられていてもよく、例えば、端部１１６の表面の印面１１３側にのみ設けられていてもよい。
【００２２】
含浸されられる滲出防止剤は、例えば、揮発性溶媒にて溶解された樹脂や、瞬間接着剤の主成分であるα−シアノアクリル酸エチルエステル、又は、アクリル系エマルジョン塗料などが挙げられる。揮発性溶媒に溶かされた樹脂は、多孔性樹脂の気泡に浸透し、溶媒の気化によって、気泡内に充填された状態で残留する。液状とすることで、浸透が容易となる。
【００２３】
樹脂が、多孔性樹脂の気泡に浸透することで、インク保持体１１内に含浸されたインクが、端部１１６から滲出することが抑制される。つまり、含浸部１１４は、端部１１６に到達することがない。また、樹脂が、多孔性樹脂の気泡に浸透し、気泡内に滞留することで、インク保持体１１の変形によって、樹脂が端部表面から剥離することが抑制される。
【００２４】
また、インク保持体１１に浸透した樹脂は、弾性を有することが好ましい。更に好ましくは、インク保持体１１と同程度の弾性があると良い。滲出防止層１１７は、インク保持体１１の変形に応じて変形することができ、インク保持体１１が変形した際に、その変形に応じて同様に変形する。このため、インク保持体１１の材料としての性質（弾性係数等）に大きな変化がなく、印版としての性能を損なうことが抑制される。
滲出防止剤は、耐インク性を有し、又はインクと混合し得ない材料であればよく、上記材料に限定されるものではない。例えば、多孔性樹脂に浸透できる液体であってもよい。
【００２５】
インク保持体１１内には、図２および図４に示されているように、インクが含浸された含浸部１１４が形成され。この含浸部１１４は、滲出部１１２を中心として、周囲に広がっており、一部は、インク保持体１１の端部１１６にある、滲出防止層１１７に達している。
【００２６】
以上のようなインク保持体１１は、図４に示されているように、収納体１２内に収納されている。収納体１２は、一枚の矩形の金属板で構成され、この金属板の４辺を同じ方向に折り曲げることによって、箱状に形成されている。収納体１２の内部は、インク保持体１１を収納する収納部１２１となっている。この底面は、インク保持体１１と同一形状に形成されており、底面の長辺に沿って立設された側壁１２２、１２２及び、短辺に沿って立設された側壁１２３、１２３の高さは、インク保持体１１の厚さに比較して、若干低く形成されている。そして、側壁１２２、１２２の内側面は、インク保持体１１を側面から支える支持面１２４となっている。この支持面１２４は、インク保持体１１に接触し、又は微小な間隔を空けて設けられている。
【００２７】
以上のように構成された印版１は、把持体３に固定され、スタンプ２が構成される。図４に示されているように、このようなスタンプ２を所望の捺印面４に押し当てると、インク保持体１１は、支持面１２４によって支えられているので、変形することがない。このため、インク保持体１１の端部１１６は捺印面４に接触しない。また、変形しないためインク保持体１１の劣化も抑制され、寿命が延びる。
支持面１２４を備えない場合では、インク保持体１１の端部１１６面に含浸部１１４が到達していないので、例えば、従来例の図８に示されているように、変形した場合に、陰影にインク保持体１１の端部に沿った線が現れる（図９）ことが防止される。
【００２８】
一方、印版１がそれぞれ固定された把持体３は、両側面に設けられている係合突起３２１、３２１と係合突起３２１、３２１を係合させることによって、一体化することができ、複数の印面１を複数段につなげることができる。
このような場合、複数の印面を一体化した１つのスタンプか構成される。例えば、社名が表示されるスタンプと、会社の住所が表示されるスタンプと、会社の代表者の氏名が表示されるスタンプとを一体とすることによって、会社の住所、社名、代表者名を同時に捺印できるスタンプを構成することができる。また、組み合わせて変更することによって、表示される順序も変更可能となる。さらに、各スタンプ毎に使用するインクの色を変えることも可能である。
【００２９】
係合するスタンプ毎のインクの色が異なる場合、隣接するインク保持体１１が接触すると相互にインクが混ざり、保持されているインクが変色する可能性があるが、支持面１２４によって、インク保持体１１の変形が抑制されるので、インク保持体１１相互の接触が防止され、インクの変色を防ぐことができる。
【００３０】
さらに、支持面１２４を有さない場合では、滲出防止層１１７によって、端部１１６へのインクの滲出が防止されるので、これによっても、インクの接触による変色を防止することができる。さらに、側壁１２２が、隣接するインク保持体１１の間に介挿されないので、インク保持体１１間の距離を一層短縮することができ、その結果、陰影間の距離を、従来以上に短縮することができる。
【００３１】
側壁１２２、１２２には、さらに、目盛１２５が設けられている。この目盛１２５は、この実施形態では、側壁１２２、１２２に三角形状の切欠により構成されている。目盛１２５の位置は、例えば、印面１１３の中央部や、印面１１３に配されている文字の両端位置を示す位置などに設けられている。
【００３２】
このような目盛１２５を設けることによって、所望の捺印位置に正確に捺印することが容易となる。印面が突出している従来のスタンプでは、印影を映し出す印面の位置は、側面から視認できるので、印影の位置を確認することができるが、上記のように、印面１１３が印版１の全面である場合には、印影の位置を確認することが困難である。この目盛１２５を設けることによって、容易に印影の位置を確認することができる。
【００３３】
他の実施形態として、図５に示されているように、目盛１２５ａは、孔としてもよい。印面１１３にインクを滴下し、滲出部１１２からインクを染み込ませ、インクを補充する作業をする場合、余分なインクは、布や紙などで印面１１３から拭き取られる。この場合、目盛１２５ａは、孔であるので、布や紙が目盛１２５ａに引っ掛かることなく、拭き取り作業が容易となる。
【００３４】
なお、以上説明した構成のほか、図６に示されているように、収納体１２を省略し、把持体３の端面３１をくり貫いた溝を構成し、この溝を収納部１２１としてもよい。この場合には、収納部１２１の内壁が支持面１２４として機能する。
さらに、本実施形態の様に、印面１１３からインクを補充する構成の他、印面１１３の反対側からインクを補充する方式のスタンプにおいても、本発明の印版を用いることができる。
【００３５】
【発明の効果】
請求項１に記載の発明によれば、インク保持体の端面からインクが滲出することが防止される。
請求項２に記載の発明によれば、特に、印影に、印面の輪郭線が現れるなど、汚れの発生が抑制される。
請求項３に記載の発明によれば、インク保持体の端部気泡内に滲出防止剤を含浸させることが容易で、かつ滲出防止剤を気泡内に確実に滞留させることができる。
【００３６】
請求項４に記載の発明によれば、滲出防止剤によって、インク保持体の材料としての性質に影響を与えず、印版としての性能を損なうことが抑制される。
請求項５に記載の発明によれば、速乾性があり、滲出防止剤の含浸を短時間で完了させることができる。
請求項６に記載の発明によれば、適度な弾性を有し、インク保持体の端部気泡内に長期間残留し、一層確実にインクの滲出を防止することができる。
【００３７】
請求項７に記載の発明によれば、インク保持体の端面からインクが滲出することが防止されたスタンプを得ることができる。
請求項８に記載の発明によれば、隣接するインク保持体間でのインクの混合を防止することができる。また、色の異なるインクを含浸した、隣接する印面を、従来以上に近接させた状態で使用することが可能となる。
【図面の簡単な説明】
【図１】本発明の印版と、印版を用いたスタンプの分解斜視図である。
【図２】インク保持体の一部拡大平面図である。
【図３】インク保持体の横断面一部拡大図である。
【図４】インク保持体の横断面図である。
【図５】目盛の他の構成例を示す、収容体の部分斜視図である。
【図６】他の実施形態を示す、スタンプ端面の全体斜視図である。
【図７】従来のスタンプにおける印面の一部拡大平面図である。
【図８】従来のスタンプの部分拡大横断面図である。
【図９】従来のスタンプの印影を示す平面図である。
【符号の説明】
１  印版
１１  インク保持体
１１１  不浸透層
１１２  滲出部
１１３  印面
１１４  含浸部
１１７  滲出防止層
２  収容体
１２４  支持面
１２５  目盛
３  把持体
３２１  係合突起
３３１  係合凹部
【図１】
2004167887.tif 000003
【図２】
2004167887.tif 000004
【図３】
2004167887.tif 000005
【図４】
2004167887.tif 000006
【図５】
2004167887.tif 000007
【図６】
2004167887.tif 000008
【図７】
2004167887.tif 000009
【図８】
2004167887.tif 000010
【図９】
2004167887.tif 000011